(57)【要約】【課題】読取台上の原稿を押さえた状態でも簡単に読取領域を指定することができる画像読取装置を提供する。【解決手段】複写機は、ブックス連写モードが選択されているときに（Ｓ１０１；Ｙｅｓ）、プラテンガラス上の原稿（見開き原稿）が押さえ付けられるとその荷重を検出する（Ｓ１０５）。荷重が一定値以上になると、または、荷重が一定時間継続して検出されると、原稿のサイズと向きを検知し（Ｓ１０７）、原稿の押付領域を検出する（Ｓ１０８）。押付領域が、見開きにされた原稿の一方のページであるか、または、他方のページであるか、または両ページであるかを判断し、押付領域であると判断したページを読取領域に決定する。【選択図】図４
2010056784.tif 000002
【特許請求の範囲】
【請求項１】
読み取り対象の原稿が載置される読取台と、
前記読取台上の原稿を読み取る読取部と、
前記原稿が前記読取台に押さえ付けられたときの押付領域を検出する検出部と、
前記検出部により検出された前記原稿の前記押付領域に基づいて前記読取部による前記原稿の読取領域を制御する制御部と、
を備える
ことを特徴とする画像読取装置。
【請求項２】
前記検出部は、前記原稿が見開き状態で前記読取台に伏せて載置されて押さえ付けられたときのその原稿における見開きの一方のページと他方のページとを個別の前記押付領域として検出する
ことを特徴とする請求項１に記載の画像読取装置。
【請求項３】
前記読取台に載置された前記原稿の長手方向を検知する検知部を備え、
前記制御部は、前記検知部により検知された前記原稿の長手方向が前記原稿の見開き方向であると判断して、前記検出部による検出結果に基づいて前記原稿における見開きの一方のページと他方のページとに対する前記読取領域の制御を行う
ことを特徴とする請求項２に記載の画像読取装置。
【請求項４】
前記制御部は、前記検出部による検出結果に基づいて前記原稿における見開きの一方のページまたは他方のページが前記押付領域であると判断した場合は、その押付領域であると判断した前記一方のページまたは前記他方のページを前記読取領域に決定する
ことを特徴とする請求項２または３に記載の画像読取装置。
【請求項５】
前記制御部は、前記検出部による検出結果に基づいて前記原稿における見開きの一方のページと他方のページとが前記押付領域であると判断した場合は、前記一方のページと前記他方のページとを前記読取領域に決定する
ことを特徴とする請求項２乃至４のいずれか１つに記載の画像読取装置。
【請求項６】
前記読取台には、前記原稿における見開きの一方のページと他方のページとの境界部が配置される基準線位置が設定されており、
前記検出部は、前記基準線位置の両側に振り分けて配設されている
ことを特徴とする請求項２乃至５のいずれか１つに記載の画像読取装置。
【請求項７】
前記制御部は、前記検出部により検出された前記原稿における前記押付領域の押付状態が所定条件を満足した場合に前記読取部による前記原稿の読み取り動作を開始させる
ことを特徴とする請求項１乃至６のいずれか１つに記載の画像読取装置。
【発明の詳細な説明】
【技術分野】
【０００１】
本発明は、原稿の読取領域を指定する機能を備えた画像読取装置に関する。
【背景技術】
【０００２】
汎用の複写機や複合機などで本や冊子などの見開き原稿をコピーする場合は、コピーするページを開いてプラテンガラス上に伏せた原稿を一方の手で押さえつつ他方の手でスタートボタンを押すことになるため、作業性や操作性がよくない。
【０００３】
このような問題を解決するために、たとえば特許文献１の技術では、プラテンガラスの下にスイッチを設け、スタートボタンを押さなくても、プラテンガラス上に載置した原稿を一定以上の力で押さえ付けると、プラテンガラスの下動によりスイッチがオンされてスキャン動作を自動的に開始できるようにしている。またプラテンガラスの押圧検出は、上記スイッチの他に、プラテンガラスに透明の感圧スイッチを貼り着けることでも可能である旨が記載されている。
【０００４】
一方、見開き原稿のコピーでは、コピーの仕上がりの大きさを原稿サイズ（ページサイズ）に近づけるために、見開きサイズで２ページ分を１枚の用紙に一括コピーするのではなく、見開きの半分のサイズで１ページずつコピーすることが多い。たとえば、Ｂ５サイズの本は見開き状態でＢ４サイズになるが、半分の大きさのＢ５サイズで１ページずつコピーするなどである。
【０００５】
詳細には、図７（Ａ）に示すように、ユーザは本などの見開き原稿６０をコピーするページを開いてプラテンガラス５０の上に伏せて載置し、プラテンガラス５０における左後角部の原稿突き当て基準Ｓに位置を合わせて所定位置にセットする。この見開き原稿６０を押さえながらスタートボタンを押下することにより、プラテンガラス５０の左側端から右方向へのスキャンによって原稿画像が読み取られる。
【０００６】
ここで、通常コピーモードで、かつコピーサイズが見開きの半分のサイズに設定されていれば、設定サイズに応じたスキャン長Ｌに対応する見開き１ページ目６１の領域（見開き全領域の半分の領域）が読取領域となり、見開き１ページ目６１のみがコピーされる。見開き２ページ目６２をコピーするには、図７（Ｂ）に示すように、見開き原稿６０を上下反転させて見開き２ページ目６２を上記の所定位置にセットするか、図７（Ｃ）に示すように、見開き原稿６０を左に移動させて見開き２ページ目６２を同様に所定位置にセットして、スタートボタンを押下することになる。
【０００７】
このように、通常コピーモードによる見開き原稿のページ毎のコピーでは、所望のページ位置を開きその一方のページ（たとえば、見開き１ページ目）を所定位置にセットしてスタートボタンを押下し、次に他方のページ（たとえば、見開き２ページ目）を所定位置にセットしてスタートボタンを押下する、といった作業を繰り返し行うことになるため、作業が煩雑になってしまう。
【０００８】
このような作業の煩雑性を解消する技術としては、「ブック連写」などと呼ばれる機能（モード）が知られている。このブック連写モードは、プラテンガラス上にセットされた見開き原稿の見開き全領域（見開き２ページ分の領域）をスキャンして半分の領域毎（１ページ毎）に出力するモードである。コピーの場合は、スタートボタンの１回の押下操作で、見開き全領域を半分ずつ２回に分けてスキャンしたり、１回のスキャンで取得した見開き全領域の画像データをメモリ上で分割したりするなどにより、自動的に原稿画像を分割して２枚の用紙に印刷（複写）するようにしている。
【０００９】
【特許文献１】特開平１０−２６８７０８号公報
【発明の開示】
【発明が解決しようとする課題】
【００１０】
本や冊子などのコピーにおいては、見開きの一方のページが白紙ページや広告ページなどである場合に、そのページは不要で他方のページのみをコピーしたいようなことが起こり得る。しかし、上記のブック連写モードでは見開きの２ページが自動的に１ページずつコピーされるようになっており、いずかを指定して１ページのみコピーするといったことができないため、不要な白紙ページや広告ページなどもコピーされてしまう。
【００１１】
このような無駄なコピーを回避するには、通常コピーモードを用いて所望のページのみをコピーするしかないが、その場合は、モードを切り替えたり、図７で説明したように原稿を上下反転させたり移動させたりしてセットし直さなければならなくなるため、面倒である。
【００１２】
また、通常コピーモードに限らずブック連写モードにおいても、見開き原稿をコピーする際は、見開きにしてプラテンガラス上に伏せた原稿を一方の手で押さえつつ他方の手でスタートボタンを押さなければならないため、作業性や操作性がよくない。
【００１３】
本発明は、上記の問題を解決しようとするものであり、読取台上の原稿を押さえた状態でも簡単に読取領域を指定することができる画像読取装置を提供することを目的としている。
【課題を解決するための手段】
【００１４】
かかる目的を達成するための本発明の要旨とするところは、次の各項の発明に存する。
【００１５】
［１］読み取り対象の原稿が載置される読取台と、
前記読取台上の原稿を読み取る読取部と、
前記原稿が前記読取台に押さえ付けられたときの押付領域を検出する検出部と、
前記検出部により検出された前記原稿の前記押付領域に基づいて前記読取部による前記原稿の読取領域を制御する制御部と、
を備える
ことを特徴とする画像読取装置。
【００１６】
上記発明では、読取台に載置された原稿が押さえ付けられたときの押付領域を検出し、この押付領域に基づいて原稿の読取領域を制御する。これにより、ユーザは読取台上の原稿を両手で押さえつつ、読み取りたい領域を強く押さえ付けるなどして、簡単に読取領域を指定できるようになる。
【００１７】
［２］前記検出部は、前記原稿が見開き状態で前記読取台に伏せて載置されて押さえ付けられたときのその原稿における見開きの一方のページと他方のページとを個別の前記押付領域として検出する
ことを特徴とする［１］に記載の画像読取装置。
【００１８】
上記発明では、本や冊子などの原稿（見開き原稿）を見開き状態で読取台に伏せて載置し押さえ付けたときに、その原稿における見開きの一方のページと他方のページとが個別の押付領域として検出されるようになる。これにより、本や冊子などの原稿に対してページ毎に読取領域を指定できるようになる。
【００１９】
［３］前記読取台に載置された前記原稿の長手方向を検知する検知部を備え、
前記制御部は、前記検知部により検知された前記原稿の長手方向が前記原稿の見開き方向であると判断して、前記検出部による検出結果に基づいて前記原稿における見開きの一方のページと他方のページとに対する前記読取領域の制御を行う
ことを特徴とする［２］に記載の画像読取装置。
【００２０】
上記発明では、読取台に載置された原稿（見開き原稿）の長手方向を検知し、その長手方向が原稿の見開き方向であると判断する。これにより、見開きの一方のページと他方のページとが識別可能となり、ページ毎に行う読取領域の制御が可能となる。
【００２１】
［４］前記制御部は、前記検出部による検出結果に基づいて前記原稿における見開きの一方のページまたは他方のページが前記押付領域であると判断した場合は、その押付領域であると判断した前記一方のページまたは前記他方のページを前記読取領域に決定する
ことを特徴とする［２］または［３］に記載の画像読取装置。
【００２２】
上記発明では、読取台上の原稿（見開き原稿）における見開きの一方のページまたは他方のページを押さえ付けることで、そのページを読取領域に指定することができる。
【００２３】
［５］前記制御部は、前記検出部による検出結果に基づいて前記原稿における見開きの一方のページと他方のページとが前記押付領域であると判断した場合は、前記一方のページと前記他方のページとを前記読取領域に決定する
ことを特徴とする［２］乃至［４］のいずれか１つに記載の画像読取装置。
【００２４】
上記発明では、読取台上の原稿（見開き原稿）における見開きの一方のページと他方のページを共に押さえ付けることで、両ページを読取領域に指定することができる。また、両ページを別々に押さえ付けて指定するような場合に比べ、操作が簡単になる。
【００２５】
［６］前記読取台には、前記原稿における見開きの一方のページと他方のページとの境界部が配置される基準線位置が設定されており、
前記検出部は、前記基準線位置の両側に振り分けて配設されている
ことを特徴とする［２］乃至［５］のいずれか１つに記載の画像読取装置。
【００２６】
上記発明では、読取台には、たとえば読取台の中央などの所定位置に原稿を載置しときに、見開きの一方のページと他方のページとの境界部が配置される基準線位置を予め設定しておく。原稿を上記の所定位置に載置したときには、基準線位置の両側に見開きの一方のページと他方のページとが配置される。この基準線位置の両側に検出部を振り分けて配設することにより、見開きの一方のページと他方のページとを個別の押付領域として検出することができる。
【００２７】
［７］前記制御部は、前記検出部により検出された前記原稿における前記押付領域の押付状態が所定条件を満足した場合に前記読取部による前記原稿の読み取り動作を開始させる
ことを特徴とする［１］乃至［７］のいずれか１つに記載の画像読取装置。
【００２８】
上記発明では、読取台上の原稿を押さえ付けたときの押付状態が所定条件を満足すると読み取り動作が自動的に開始される。所定条件は、たとえば、押さえ付け力（荷重）が所定値以上になる、もしくは、押さえ付けが所定時間継続される、もしくは、その両方を満たすなどの条件である。また、［４］のような見開きの一方のページまたは他方のページの押さえ付けでは、押さえ付けたページに対する押付状態が所定条件を満足すると読み取り動作が自動的に開始される。［５］のような見開きの一方のページおよび他方のページの押さえ付けでは、両ページに対する押付状態が所定条件を満足すると読み取り動作が自動的に開始される。
【００２９】
これにより、読取台上の原稿を両手で押さえた状態でも読み取りの開始操作が行えるようになり、作業性や操作性が向上する。特に［５］においては、両ページを共に押さえ付けるだけの１回の操作で両ページに対する読み取り動作を開始できるため、両ページを別々に押さえ付けるといった２回の操作を行うような場合に比べて、読み取りの開始操作が簡単になる。
【発明の効果】
【００３０】
本発明の画像読取装置によれば、読取台上の原稿を押さえた状態でも簡単に読取領域を指定できるようになる。したがって、利便性が向上すると共に、必要な領域（ページ）の画像のみを読み取って複写印刷するなどが可能となり、読取時間の低減や印刷コストの低減を図ることができる。
【発明を実施するための最良の形態】
【００３１】
以下、図面に基づき本発明の実施の形態を説明する。
【００３２】
図１は、本発明の実施の形態に係る画像読取装置としての複写機１０の概略構成を示している。複写機１０は、原稿を読み取って画像データを取得するスキャナ機能や原稿を複写印刷するコピー機能などを備えている。また、スキャナ機能（スキャンモード）とコピー機能（コピーモード）には、原稿の全領域または設定された領域（サイズ）を１回のスキャンで読み取り、原稿画像を１つの画像データで出力する通常スキャンモードと、本や冊子、見開き資料などの見開き原稿（ブック原稿）の見開き全領域（見開き２ページ分の領域）をスキャンして読み取り、原稿画像を半分の領域毎（１ページ毎）の画像データで出力するブック連写モードとが設けられている。
【００３３】
ブック連写モードでは、たとえば、見開き全領域を半分ずつ２回に分けてスキャンしたり、１回のスキャンで取得した見開き全領域の画像データをメモリ上で分割したりするなどして、原稿画像を分割した２つの画像データで出力する。またブック連写モードには、後述するプラテンガラス上に載置された見開き原稿が押さえ付けられたときにその押さえ付けられたページ（押付領域）をスキャンするページ（読取領域）に決定する機能や、その押付状態が所定条件を満足した場合に自動的にスキャン動作（読み取り動作）を開始させる機能などが設けられている。
【００３４】
図１に示すように、複写機１０は、制御部としてのＣＰＵ（Central Processing Unit）１１に、バス１２を介してＲＯＭ１３（Read Only Memory）と、ＲＡＭ（Random Access Memory）１４と、記憶部１５と、表示部１６と、操作部１７と、スキャナ部１８と、画像処理部１９と、プリンタ部２０と、原稿検知部２１と、荷重検出部２２とを接続して構成される。
【００３５】
ＣＰＵ１１は、ＲＯＭ１３に格納されているプログラムに基づいて複写機１０の動作を制御する。ＲＡＭ１４はＣＰＵ１１がプログラムを実行する際に各種データを一時的に格納するワークメモリとして使用されるほか、画像データを一時的に保存するための画像メモリなどにも使用される。記憶部１５は、ハードディスク装置（Hard Disk Drive；ＨＤＤ）などで構成され、各種の保存データなどを格納するほか、原稿のスキャンやコピーにおける画像データなども保存する。
【００３６】
表示部１６は、液晶ディスプレイなどで構成され、操作画面、設定画面、案内画面などの各種の画面を表示する機能を果たす。操作部１７は、モード選択ボタン、スタートボタン、ストップボタン、テンキーなどの各種のボタン類などで構成され、ユーザなどが複写機１０に対して行う各種の操作を受け付ける機能を果たす。
【００３７】
スキャナ部１８は、原稿を光学的に読み取って画像データを取得する機能を果たす。図２に示すように、スキャナ部１８は、読み取り対象の原稿が載置されるプラテンガラス３０（読取台）と、プラテンガラス３０の上面を開放および閉塞する背面板３１とを備えている。背面板３１は、一側端部（図中では後側の端部）が図示しない複写機本体（スキャナ部１８の筐体など）に回動可能に支持されて取り付けられている。さらにスキャナ部１８は、たとえば、プラテンガラス３０上の原稿に光を照射する光源と、原稿からの反射光を受光して原稿を主走査方向（プラテンガラス３０の前後方向）に１ライン分読み取るイメージセンサと、イメージセンサによるライン単位の読み取り位置を副走査方向（プラテンガラス３０の左右方向）に移動させるスキャン機構と、原稿からの反射光をイメージセンサに導いて結像させるレンズやミラーからなる光学経路（光学系）などを備えている。
【００３８】
画像処理部１９は画像データに対して、画像補正、回転、拡大／縮小、圧縮／伸張など各種の画像処理を施す機能を果たす。
【００３９】
プリンタ部２０は、入力された画像データに対応する画像を用紙に形成して出力する機能を果たす。たとえば、用紙の搬送装置と、感光体ドラムと、帯電装置と、レーザーユニットと、現像装置と、転写分離装置と、クリーニング装置と、定着装置などを備え、電子写真プロセスによって用紙上に画像を形成するレーザープリンタなどとして構成される。
【００４０】
原稿検知部２１は、プラテンガラス３０上の原稿の有無を検知すると共に、原稿のサイズと向きを検知する機能を果たす。たとえば、プラテンガラス３０の下側に設けられた複数の反射型光電センサなどで構成されている。個々の反射型光電センサは、プラテンガラス３０の下方平面における所定の位置に配置され、投光部から上方へ照射した光がプラテンガラス３０上の原稿（検知物）に反射されて受光部に入射した場合に検知信号を出力する。原稿検知部２１は、この複数の反射型光電センサによる検知信号の出力状況によって、プラテンガラス３０上の原稿の有無や、原稿のサイズと向きを検知する。
【００４１】
また原稿検知部２１は、ブック連写モードでは原稿の長手方向を検知する検知部としての機能も果たす。ブック連写モードでは、この原稿検知部２１により検知された原稿の長手方向が原稿の見開き方向であると判断される。
【００４２】
荷重検出部２２は、プラテンガラス３０に加えられた荷重を検出すると共に、プラテンガラス３０上の原稿が押さえ付けられたときの押付領域を検出する検出部としての機能を果たす。
【００４３】
図２に示すように、プラテンガラス３０は下面の四隅などが支柱３２に支持されて取り付けられている。荷重検出部２２は、この支柱３２の下部に設けられた４つの荷重センサなどで構成されている。個々の荷重センサは、プラテンガラス３０に加えられた荷重（力）を支柱３２を介して受け止め（図２の矢印Ｐ参照）、その荷重を電気信号に変換して出力する。
【００４４】
荷重センサとしては、外力によるひずみ量に応じて電気抵抗値を変化させる（出力電圧を変化させる）ひずみゲージ（ストレインゲージ）を用いたひずみゲージ方式、入力荷重の大きさに応じて出力電圧を変化させる圧電素子（ピエゾ素子）を用いた圧電素子方式などの各種方式の荷重センサを使用することができる。また、荷重センサに替えて汎用のロードセル（荷重変換器）などを使用してもよい。
【００４５】
荷重検出部２２は、この４つの荷重センサなどが出力する電気信号の出力レベルの差によって、プラテンガラス３０に加えられた荷重の最も大きい領域、すなわち、プラテンガラス３０上の原稿が押さえ付けられたときの押付領域を検出する。
【００４６】
図３は、見開き原稿の一種であるブック原稿（書籍）を複写機１０のブック連写モードでスキャンする際に、ブック原稿を見開きにしてプラテンガラス３０の上に伏せて載置した状態を示している。
【００４７】
本実施の形態に係るブック連写モードでは、図示のようにブック原稿をプラテンガラス３０上の中央に載置してセットする。上述したように、原稿検知部２１は、プラテンガラス３０上のブック原稿を検知すると共にそのサイズと長手方向も検知する。ＣＰＵ１１は、原稿検知部２１が検知したブック原稿の長手方向をブック原稿の見開き方向と判断し、以下に説明する荷重検出部２２による押付領域の検出モードをプラテンガラス３０の左右方向または前後方向に切り替える。なお、プラテンガラス３０の左右方向はスキャナ部１８のスキャンにおける副走査方向（光学系スキャン方向）Ｘであり、前後方向は同スキャンにおける主走査方向（イメージセンサスキャン方向）Ｙである。
【００４８】
たとえば、図３（Ａ）に示すように、ブック原稿４０をプラテンガラス３０の左右方向に見開いてプラテンガラス３０上の中央に載置すると、ブック原稿４０の長手方向として検知された左右方向が見開き方向であり、ブック原稿４０が横向き〔ＳＥＦ（Short Edge Feed；短辺（縦方向）給紙）の向き〕にセットされたと判断される。この場合は、ブック原稿４０に対する押付領域の検出モードがプラテンガラス３０の左右方向に切り替えられ、左側２つの荷重センサと右側２つの荷重センサの出力レベル（最大出力レベル）の相対差に基づいた検出が行われる。
【００４９】
図３（Ｂ）に示すように、ブック原稿５０をプラテンガラス３０の前後方向に見開いてプラテンガラス３０上の中央に載置すると、ブック原稿５０の長手方向として検知された前後方向が見開き方向であり、ブック原稿４０が縦向き〔ＬＥＦ（Long Edge Feed；長辺（横方向）給紙）の向き〕にセットされたと判断される。この場合は、ブック原稿５０に対する押付領域の検出モードがプラテンガラス３０の前後方向に切り替えられ、前側２つの荷重センサと後側２つの荷重センサの出力レベル（最大出力レベル）の相対差に基づいた検出が行われる。
【００５０】
たとえば、左右方向の検出モードとなる図３（Ａ）の場合は、ブック原稿４０の左右の両ページを両手で押さえつつ（図２の矢印Ｆ参照）、右手で押さえている右側のページ（本例での見開き１ページ目４１）を強く押さえ付けると、プラテンガラス３０の左側よりも右側に配置された２つの荷重センサの出力レベルが大きくなり、右側のページが押付領域として検出される。逆に左手で押さえている左側のページ（本例での見開き２ページ目４２）を強く押さえ付けると、プラテンガラス３０の右側よりも左側に配置された２つの荷重センサの出力レベルが大きくなり、左側のページが押付領域として検出される。左右の両ページをほぼ均等に強く押さえ付けると、４つの荷重センサの出力レベルがほぼ等しくなり、左右の両ページが押付領域として検出される。
【００５１】
このように、左右方向の検出モードでは、プラテンガラス３０の左側領域と右側領域に加わる荷重の差に基づいて押付領域を検出している。そのため、プラテンガラス３０の中央に載置したブック原稿４０に対する押さえ付け箇所がプラテンガラス３０の前側または後側に偏ったり、ブック原稿４０の載置位置がプラテンガラス３０の前側または後側にずれたために押さえ付け箇所がその前側または後側に偏ったりして、前側と後側の荷重センサの出力レベルに差が生じたとしても、左側と右側の荷重センサの最大出力レベルの差に基づいた検出により、上記のような左右のページに対する押付領域の特定が行われる。
【００５２】
また、ブック原稿４０の載置位置がプラテンガラス３０の左右方向に多少ずれて押さえ付け箇所が左右方向に多少ずれるような場合でも、左右方向の押さえ付け荷重の差を検出できる範囲であれば上記のような左右のページに対する押付領域の特定が可能であり、その範囲内であればブック原稿４０の左右方向の位置ずれが許容される。
【００５３】
前後方向の検出モードとなる図３（Ｂ）の場合は、プラテンガラス３０の前側と後側の荷重センサの出力レベル（最大出力レベル）の差に基づいて（プラテンガラス３０の前側領域と後側領域に加わる荷重の差に基づいて）、ブック原稿５０の前側のページ（本例での見開き１ページ目５１）と後側のページ（本例での見開き２ページ目５２）に対する押付領域の検出が行われる。
【００５４】
また、この場合も前後方向の検出モードと同様に、ブック原稿５０の載置位置が左右方向にずれて押さえ付け箇所が左右方向にずれるなどして、左側と右側の荷重センサの出力レベルに差が生じたとしても、前側と後側の荷重センサの最大出力レベルの差に基づいた検出により、前後のページに対する押付領域の特定が行われる。ブック原稿５０の載置位置が前後方向に多少ずれて押さえ付け箇所が前後方向に多少ずれるような場合でも、前後方向の押さえ付け荷重の差を検出できる範囲であれば前後のページに対する押付領域の特定が可能であり、その範囲内であればブック原稿５０の前後方向の位置ずれが許容される。
【００５５】
また、原稿をプラテンガラス３０の中央に載置しやすくするために、載置位置の基準を示す目印などを設けるようにしてもよい。たとえば、図３（Ａ）、（Ｂ）に示すように、矩形状のプラテンガラス３０においては、４辺の各中心部の外側近傍に、プラテンガラス３０の中心を指し示す三角形の基準マーク（３３、３４）などを設けるようにしてもよい。
【００５６】
図３（Ａ）の場合は、上下方向に対向する２つの基準マーク３３を結んだ仮想基準線Ｓｙが、左右方向に見開いたブック原稿４０をプラテンガラス３０の中央に伏せて載置するときの左右方向の載置位置の基準（目安）となる。この２つの基準マーク３３（仮想基準線Ｓｙ上）にブック原稿４０の綴じ代部を合わせることにより、ブック原稿４０の左右方向の位置ずれや傾きが抑えられ、仮想基準線Ｓｙを挟んで左右に配置された見開きの左右ページに対する押付領域の検出精度が向上する。
【００５７】
図３（Ｂ）の場合は、左右方向に対向する２つの基準マーク３４を結んだ仮想基準線Ｓｘが、前後方向に見開いたブック原稿５０をプラテンガラス３０の中央に伏せて載置するときの前後方向の載置位置の基準（目安）となる。この２つの基準マーク３４（仮想基準線Ｓｘ上）にブック原稿５０の綴じ代部を合わせることにより、ブック原稿５０の前後方向の位置ずれや傾きが抑えられ、仮想基準線Ｓｘを挟んで前後に配置された見開きの前後ページに対する押付領域の検出精度が向上する。
【００５８】
なお、上記のような基準マークを設けなくとも、プラテンガラス３０の四隅に荷重センサを配設するなどの構成であれば、プラテンガラス３０の中心を通る上記の仮想基準線Ｓｙや仮想基準線Ｓｘは存在していることになる。
【００５９】
このように、プラテンガラス３０には、中央に載置された原稿における見開きの一方のページと他方のページとの境界部（綴じ代部）が配置される基準線位置（仮想基準線Ｓｙ、Ｓｘ）が予め設定されており、荷重検出部２２を構成する４つの荷重センサは、その基準線位置の両側に振り分けて配設されている。これにより、原稿が見開き状態でプラテンガラス３０の中央に伏せて載置され押さえ付けられたときに見開きの一方のページと他方のページとを個別の押付領域として検出するようになっている。
【００６０】
詳細には、プラテンガラス３０の中心を通る前後方向に沿った基準線位置（仮想基準線Ｓｙ）に対しては、その両側に（線対称位置に）荷重センサが２つずつ振り分けて配設されている。これにより、プラテンガラス３０の左右方向に見開いて中央に載置された原稿の左側ページと右側ページとを個別の押付領域として検出するようになっている。
【００６１】
また、プラテンガラス３０の中心を通る左右方向に沿った基準線位置（仮想基準線Ｓｘ）に対しては、その両側に（線対称位置に）荷重センサが２つずつ振り分けて配設されている。これにより、プラテンガラス３０の前後方向に見開いて中央に載置された原稿の前側ページと後側ページとを個別の押付領域として検出するようになっている。
【００６２】
また、ブック連写モードでは、ＣＰＵ１１はプログラムを実行することで、荷重検出部２２により検出された原稿（見開き原稿）の押付領域に基づいてスキャナ部１８による原稿の読取領域を制御する機能を果たす。また、原稿検知部２１により検知された原稿の長手方向が原稿の見開き方向であると判断して、荷重検出部２２による検出結果に基づいて原稿における見開きの一方のページと他方のページとに対する読取領域の制御を行う機能を果たす。
【００６３】
読取領域の制御では、荷重検出部２２による検出結果に基づいて原稿における見開きの一方のページまたは他方のページが押付領域であると判断した場合は、その押付領域であると判断したページのみを読取領域に決定する機能を果たす。荷重検出部２２による検出結果に基づいて原稿における見開きの両ページが押付領域であると判断した場合は、その両ページを読取領域に決定する機能を果たす。
【００６４】
また、荷重検出部２２により検出された原稿における押付領域の押付状態が所定条件を満足した場合にスキャナ部１８による原稿の読み取り動作を開始させる機能を果たす。
【００６５】
次に、複写機１０の動作について説明する。
【００６６】
図４〜図６は、複写機１０によるスキャン処理の流れを示している。上述したように、ブック連写モードにおける原稿（見開き原稿）の押付領域の検出は、プラテンガラス３０の左右方向（スキャンの副走査方向）または前後方向（スキャンの主走査方向）で行うことができる。ここでは、左右方向の検出モードのみを備えた構成と、左右方向と前後方向の両検出モードを備え、原稿の向き（長手方向）に応じて検出モードを自動的に切り替える構成との２通りの場合について説明する。前者は図４および図５に示し、後者は図４および図６に示している。
【００６７】
なお、前者は見開き原稿をプラテンガラス３０の左右方向に見開いてセットする仕様である。この場合は原稿が左右方向に見開いてセットされることを前提としているため、見開き方向を自動判断する必要がない。そのため、原稿の向き検知は省略している。後者は見開き原稿をプラテンガラス３０の左右方向または前後方向に見開いてセットできる仕様である。この場合は見開き方向を自動判断するために原稿の向き検知を行うようにしている。
【００６８】
［左右方向の検出モードのみの場合］
ユーザが複写機１０の操作部１７を通してスキャンモードまたはコピーモードを選択すると、ＣＰＵ１１は本処理を開始する（Ｓｔａｒｔ）。このスキャン／コピーモードの選択に加えて、通常スキャンモードが選択された場合は（ステップＳ１０１；Ｎｏ）、ＣＰＵ１１はスキャナ部１８による原稿の読み取りを通常のスキャン動作で行わせ（ステップＳ１０２）、本処理を終了する（Ｅｎｄ）。通常のスキャン動作では、ユーザがプラテンガラス３０上に原稿を載置し、スタートボタンを押下することで原稿の読み取りが開始される。そして、原稿の全領域または設定された領域（サイズ）が１回のスキャンで読み取られ、原稿画像は１つ（１ページ）の画像データで出力される。
【００６９】
ブック連写モードが選択された場合は（ステップＳ１０１；Ｙｅｓ）、ＣＰＵ１１はスキャナ部１８による原稿の読み取りを見開き原稿（ブック原稿）に対応したスキャン動作で行わせる。ここでユーザは、本などの原稿をスキャンするページを開いてプラテンガラス３０上の中央に左右方向に見開いた状態で伏せて載置する（図２参照）。ＣＰＵ１１は、ユーザによりプラテンガラス３０の上に原稿が載置された後に、スタートボタンの押下を監視する（ステップＳ１０３）。
【００７０】
スタートボタンが押下されると（ステップＳ１０３；Ｙｅｓ）、ＣＰＵ１１はスキャナ部１８による原稿の読み取りをブック連写のスキャン動作で行わせ（ステップＳ１０４）、本処理を終了する（Ｅｎｄ）。ブック連写のスキャン動作では、原稿検知部２１による原稿サイズの検知後に、その検知サイズに対応する原稿の見開き全領域（左右の見開き２ページ分の領域）を左側のページと右側のページで２回に分けてスキャンしたり、１回のスキャンで取得した見開き全領域の画像データをメモリ上で左側のページと右側のページに分割したりするなどして、原稿画像は左右のページに分割された２つの画像データで出力される。
【００７１】
スタートボタンが押下されず（ステップＳ１０３；Ｎｏ）、プラテンガラス３０上のブック原稿４０が押さえ付けられた場合は（図２の矢印Ｆ参照）、荷重検出部２２における４つの荷重センサから各々が検出した荷重（図２の矢印Ｐ参照）に応じたレベルの電気信号が出力され、ＣＰＵ１１に入力される（ステップＳ１０５）。ＣＰＵ１１は、この荷重検出部２２からの電気信号に基づいて、ブック原稿４０を押さえ付ける荷重の大きさや検出時間を判断する（ステップＳ１０６；Ｎｏ〜ステップＳ１０３のループ）。
【００７２】
荷重（４つの荷重センサのうちの最大検出荷重）が一定値以上になると、または、荷重が一定時間継続して検出されると（ステップＳ１０６；Ｙｅｓ）、ＣＰＵ１１は、原稿検知部２１からの検知信号に基づく原稿サイズの検知と（ステップＳ１０７）、荷重検出部２２からの電気信号に基づく押付領域の検出とを行う（ステップＳ１０８）。
【００７３】
続いて、ＣＰＵ１１は、原稿の左右領域（左右の両ページ）が押さえ付けられたか否かを判断する（ステップＳ１０９）。原稿の左右領域が押さえ付けられたと判断した場合は、すなわち、押付領域が原稿の左右領域であると判断した場合は（ステップＳ１０９；Ｙｅｓ）、原稿の左右領域（見開き全領域）を読取領域に決定し、スキャナ部１８による原稿の読み取りを上述したブック連写のスキャン動作で行わせ（ステップＳ１０４）、本処理を終了する（Ｅｎｄ）。
【００７４】
ステップＳ１０９が否定判断の場合は（ステップＳ１０９；Ｎｏ）、左右領域のいずれが押付領域であるかを判断する（ステップＳ１１０）。
【００７５】
押付領域が原稿の左側領域であると判断した場合は（ステップＳ１１０；左側）、原稿の左側領域を読取領域に決定し、スキャナ部１８による原稿の読み取りを左側領域のみとするスキャン動作で行わせ（ステップＳ１１１）、本処理を終了する（Ｅｎｄ）。
【００７６】
押付領域が原稿の右側領域であると判断した場合は（ステップＳ１１０；右側）、原稿の右側領域を読取領域に決定し、スキャナ部１８による原稿の読み取りを右側領域のみとするスキャン動作で行わせ（ステップＳ１１２）、本処理を終了する（Ｅｎｄ）。
【００７７】
［左右／前後方向の検出モードを自動切替する場合］
ＣＰＵ１１は、上述した図４のステップＳ１０１〜ステップＳ１０６を同様に行い、ステップＳ１０７では、原稿検知部２１からの検知信号に基づいて原稿のサイズと向きを検知する。
【００７８】
原稿が横向きである場合は、押付領域の検出モードを左右方向の検出モードに切り替え、ステップＳ１０８では、原稿の左右領域（左右の両ページ）が押さえ付けられたか否かを判断する。原稿の左右領域が押さえ付けられたと判断した場合は、すなわち、押付領域が原稿の左右領域であると判断した場合は（ステップＳ１０９；Ｙｅｓ）、原稿の左右領域（見開き全領域）を読取領域に決定し、スキャナ部１８による原稿の読み取りを上述したブック連写のスキャン動作で行わせ（ステップＳ１０４）、本処理を終了する（Ｅｎｄ）。
【００７９】
ステップＳ１０９が否定判断の場合は（ステップＳ１０９；Ｎｏ）、図６のステップＳ１２０を経て（ステップＳ１２０；横向き）、ステップＳ１２１へ移行し、ステップＳ１２１〜ステップＳ１２３を上述した図５のステップＳ１１０〜ステップＳ１１２と同様に行い、本処理を終了する（Ｅｎｄ）。
【００８０】
ステップＳ１０７による原稿向きの検知結果で、原稿が縦向きである場合は、押付領域の検出モードを前後方向の検出モードに切り替え、ステップＳ１０８では、原稿の前後領域（前後の両ページ）が押さえ付けられたか否かを判断する。原稿の前後領域が押さえ付けられたと判断した場合は、すなわち、押付領域が原稿の前後領域であると判断した場合は（ステップＳ１０９；Ｙｅｓ）、原稿の前後領域（見開き全領域）を読取領域に決定し、スキャナ部１８による原稿の読み取りをブック連写のスキャン動作で行わせ（ステップＳ１０４）、本処理を終了する（Ｅｎｄ）。
【００８１】
この場合のブック連写では、原稿の見開き全領域（前後の見開き２ページ分の領域）を前側のページと後側のページで２回に分けてスキャンしたり、１回のスキャンで取得した見開き全領域の画像データをメモリ上で前側のページと後側のページに分割したりするなどして、原稿画像は前後のページに分割された２つの画像データで出力される。
【００８２】
ステップＳ１０９が否定判断の場合は（ステップＳ１０９；Ｎｏ）、図６のステップＳ１２０を経て（ステップＳ１２０；縦向き）、ステップＳ１２４へ移行し、原稿の前後領域のいずれが押付領域であるかを判断する。
【００８３】
押付領域が原稿の前側領域であると判断した場合は（ステップＳ１２４；前側）、原稿の前側領域を読取領域に決定し、スキャナ部１８による原稿の読み取りを前側領域のみとするスキャン動作で行わせ（ステップＳ１２５）、本処理を終了する（Ｅｎｄ）。
【００８４】
押付領域が原稿の後側領域であると判断した場合は（ステップＳ１２４；後側）、原稿の後側領域を読取領域に決定し、スキャナ部１８による原稿の読み取りを後側領域のみとするスキャン動作で行わせ（ステップＳ１２６）、本処理を終了する（Ｅｎｄ）。
【００８５】
このように、本実施の形態に係る複写機１０では、プラテンガラス３０に載置された見開き状態の原稿が押さえ付けられたときの押付領域を検出し、この押付領域に基づいて原稿の読取領域（スキャン領域）を制御する。これにより、ユーザはプラテンガラス３０上の原稿を両手で押さえつつ、スキャンしたい領域を強く押さえ付けるなどして、簡単に読取領域を指定できるようになる。特に、見開き状態の原稿における一方のページと他方のページとが個別の押付領域として自動的に検出されるため、本や冊子などの原稿に対してページ毎に読取領域を指定できるようになる。したがって、利便性が向上すると共に、必要な領域（ページ）の画像のみを読み取って複写印刷するなどが可能となり、読取時間の低減や印刷コストの低減を図ることができる。
【００８６】
また、プラテンガラス３０に載置された原稿の長手方向を検知し、その長手方向が原稿の見開き方向であると判断することにより、見開きの一方のページと他方のページとが識別可能となり、ページ毎に行う読取領域の制御が可能となる。
【００８７】
また、見開きの一方のページまたは他方のページを押さえ付けることで、その押さえ付けたページのみを読取領域に指定することができ、両ページを共に押さえ付けることで、両ページを読取領域に指定することもできる（ブック連写）。特に後者の場合は、両ページを別々に押さえ付けて指定するような場合に比べ、操作が簡単になる。
【００８８】
また、プラテンガラス３０の中央に載置された原稿の見開きページを個別の押付領域として検出する荷重検出部２２は、上述したようなプラテンガラス３０の四隅に配設した４つの荷重センサなどによる構成で実現できる。
【００８９】
また、原稿を押さえ付けたときの押付状態が所定条件を満足するとスキャン動作が自動的に開始されるため、原稿を両手で押さえた状態でもスキャンの開始操作が行えるようになり、作業性や操作性が向上する。特に見開き原稿の両ページをスキャンする場合は、両ページを共に押さえ付けるだけの１回の操作で両ページに対するスキャン動作を開始できるため、両ページを別々に押さえ付けるといった２回の操作を行うような場合に比べて、スキャンの開始操作が簡単になる。
【００９０】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９１】
たとえば、上述の実施の形態では、荷重検出部２２（荷重センサ）をプラテンガラス３０の支持部（支柱３２の下側）に設けているが、プラテンガラス３０の下面に接触させて配置するなどしてもよい。
【００９２】
荷重検出部２２の構成についても、矩形状のプラテンガラス３０の四隅に配設した４つの荷重センサなどの構成に限らない。たとえば、プラテンガラス３０の対角部に荷重センサを２つだけ配設する構成でも、プラテンガラス３０の中央に載置された原稿の見開きの左右ページまたは前後ページを個別の押付領域として検出することができる。プラテンガラス３０の上面に透明の感圧スイッチを貼り着けるなどの構成によっても同様の検出が可能である。また感圧スイッチであれば、プラテンガラス３０の中央以外に載置された原稿に対しても押付領域の検出が可能である。
【００９３】
プラテンガラス３０の左右方向または前後方向で判断する押付領域の検出モードについては、原稿の向きに応じて自動的に切り替えるようにしているが、操作部１７を通じて手動で切り替えるようにしてもよい。
【００９４】
原稿のサイズや向きは、原稿検知部２１によって検知するようにしているが、プレスキャンによって検知するようにしてもよい。また、原稿検知部２１やプレスキャンなどによる自動検知ではなく、操作部１７を通じて設定するようにしてもよい。
【００９５】
また、上記の原稿検知部２１やプレスキャンによってプラテンガラス３０上の原稿の位置は検知可能であり、この原稿の位置と感圧スイッチなどで検出した押付領域（局所的な押付位置なども含む）とに基づいて原稿の読取領域を制御するようにしてもよい。
【００９６】
また、複写機１０におけるプリンタ部２０は、レーザ光に代えてＬＥＤ（Light Emitting Diode）で感光体ドラムを走査露光するＬＥＤプリンタなどの他の方式のプリンタとしてもよい。
【００９７】
また本発明は、実施の形態で説明した複写機に限らず、スキャナ機や複合機などの他の画像読取装置にも適用可能である。
【図面の簡単な説明】
【００９８】
【図１】本発明の実施の形態に係る画像読取装置としての複写機の概略構成を示すブロック図である。
【図２】本発明の実施の形態に係るスキャナ部におけるプラテンガラスなどの構成を示す外観図である。
【図３】本発明の実施の形態に係るプラテンガラスの上に見開き原稿が横向きまたは縦向きでセットされた状態を示す平面図である。
【図４】本発明の実施の形態に係る複写機によるスキャン処理を示す流れ図である。
【図５】図４のスキャン処理において、原稿の押付領域を左右方向のみで検出する場合のスキャン動作に係る処理ステップを示す流れ図である。
【図６】図４のスキャン処理において、原稿の押付領域を左右方向または前後方向で検出する場合のスキャン動作に係る処理ステップを示す流れ図である。
【図７】通常コピーモードで見開き原稿をページ毎にコピーする場合のプラテンガラス上への原稿のセットの仕方を説明する図である。
【符号の説明】
【００９９】
１０…複写機
１１…ＣＰＵ
１２…バス
１３…ＲＯＭ
１４…ＲＡＭ
１５…記憶部
１６…表示部
１７…操作部
１８…スキャナ部
１９…画像処理部
２０…プリンタ部
２１…原稿検知部
２２…荷重検出部
３０…プラテンガラス
３１…背面板
３２…支柱
３３…基準マーク
３４…基準マーク
４０…ブック原稿
４１…見開き１ページ目
４２…見開き２ページ目
５０…プラテンガラス
５０…ブック原稿
５１…見開き１ページ目
５２…見開き２ページ目
６０…見開き原稿
６１…見開き１ページ目
６２…見開き２ページ目
Ｌ…スキャン長
Ｓ…原稿突き当て基準
Ｓｘ、Ｓｙ…仮想基準線
Ｘ…副走査方向
Ｙ…主走査方向
【図１】
2010056784.tif 000003
【図２】
2010056784.tif 000004
【図３】
2010056784.tif 000005
【図４】
2010056784.tif 000006
【図５】
2010056784.tif 000007
【図６】
2010056784.tif 000008
【図７】
2010056784.tif 000009